(57)【要約】【課題】配筋に対して取付けが容易であり、かつ容易に抜けることがない固定部材およびクリップ部の提供。【解決手段】下側鉄筋Ｒ１の上部から装着されるクリップ部２１であり、当該下側鉄筋Ｒ１を跨ぐように下方へ延びる一対の脚部２１Ａと、この一対の脚部２１Ａの下端部から当該下側鉄筋Ｒ１の中心部へ向かって斜め上方へ延び、当該下側鉄筋Ｒ１の下側の側面に先端部が当接する一対の爪部２１Ｃとを有するクリップ部２１を備える。【選択図】図１
2020037850.tif 000002
【特許請求の範囲】
【請求項１】
配筋に取り付けられる固定部材であって、
前記配筋の上部から装着されるクリップ部であり、当該配筋を跨ぐように下方へ延びる一対の脚部と、この一対の脚部の下端部から当該配筋の中心部へ向かって斜め上方へ延び、当該配筋の下側の側面に先端部が当接する一対の爪部とを有するクリップ部
を備える固定部材。
【請求項２】
前記クリップ部は１枚の板バネからなる請求項１記載の固定部材。
【請求項３】
配筋の上部から装着されるクリップ部であり、当該配筋を跨ぐように下方へ延びる一対の脚部と、この一対の脚部の下端部から当該配筋の中心部へ向かって斜め上方へ延び、当該配筋の下側の側面に先端部が当接する一対の爪部とを有するクリップ部。
【発明の詳細な説明】
【技術分野】
【０００１】
本発明は、配筋に取り付けられる固定部材およびクリップ部に関する。
【背景技術】
【０００２】
従来、水平に鉄筋が配置されるベタ基礎や床版（スラブ）などを構築する際、鉄筋の交差部に天端レベル管理具を取り付け、この天端レベル管理具を目印にしてコンクリートを打設することが行われている。例えば、特許文献１には、縦筋および横筋の交差部に固定すべく、平板を略Ｌ字形に折曲した凹状の縦筋固定部と同じく横筋固定部とを十字形に一体的に形成してある固定具と、縦筋固定部と横筋固定部の交差部垂直方向に床厚と同様か少し長めの支持棒であり、先端にスポンジを設けた支持棒とからなる構築用スペーサーが開示されている。
【０００３】
また、特許文献２には、本体、締結用ボルトおよび天端棒からなり、本体は、板材を角Ｕ字形に曲げ加工してなるもので、その両側板部の遊端側に形成したフック部と、両側板部をつなぐ底板部にフック部に対向するように設けられて締結用ボルトが螺合貫通する第一ネジ孔と、この第一ネジ孔に隣接して底板部に設けられて天端棒が着脱自在に取り付けられる第二ネジ孔と、両側板部の内、一方の側板部に設けられて天端棒が着脱自在に取り付けられる直角向き第三ネジ孔と、他方の側板部の第三ネジ孔に対向する箇所に設けられた天端棒挿通孔を備えている天端ポイントが開示されている。
【先行技術文献】
【特許文献】
【０００４】
【特許文献１】特許第４２２６１９５号公報
【特許文献２】特許第４９２８４１１号公報
【発明の概要】
【発明が解決しようとする課題】
【０００５】
特許文献１に記載の構築用スペーサーでは、鉄筋の交差部に取り付ける際に、縦筋に縦筋固定部を、横筋に横筋固定部を配置した後、縦筋固定部および横筋固定部のそれぞれの突出部を折り曲げて固定する必要があるため、取り付け作業が面倒である。また、この突出部の折り曲げの際に鉄筋に密着するように折り曲げられなかった場合、建築用スペーサーがぐらつくことになり、支持棒が安定しなくなるという問題がある。
【０００６】
また、特許文献２に記載の天端ポイントでは、本体のフック部を、締結用ボルトが下側横筋の下側に位置する向きで当該下側鉄筋に横から引っ掛け、締結用ボルトを締め付けてフック部と締結用ボルトの先端との間で下側横筋を挟持させるものであるが、横筋は通常、表面に凹凸の突起を有する異形棒鋼であるため、締結用ボルトで安定的に締め付けることは難しく、締め付けが甘い場合には本体が回転してしまうという問題がある。
【０００７】
本発明は、配筋に対して取付けが容易であり、かつ容易に抜けることがない固定部材およびクリップ部を提供することを目的とする。
【課題を解決するための手段】
【０００８】
本発明の固定部材は、配筋に取り付けられる固定部材であって、配筋の上部から装着されるクリップ部であり、当該配筋を跨ぐように下方へ延びる一対の脚部と、この一対の脚部の下端部から当該配筋の中心部へ向かって斜め上方へ延び、当該配筋の下側の側面に先端部が当接する一対の爪部とを有するクリップ部を備えるものである。
【０００９】
この固定部材では、配筋へのクリップ部の装着時には、配筋は一対の爪部の内側面に接触して一対の脚部を外側へ向かって拡げながら一対の爪部の内側を通過して一対の脚部の内側に入り、配筋の下側の側面に一対の爪部の先端部が当接することでこの一対の脚部の内側に固定され、容易に抜けることがない。なお、配筋の外径が多少異なる場合であっても、一対の爪部は配筋の下側の側面に当接する外径であれば、配筋は一対の脚部の内側に固定される。
【００１０】
また、本発明のクリップ部は、配筋の上部から装着されるクリップ部であり、当該配筋を跨ぐように下方へ延びる一対の脚部と、この一対の脚部の下端部から当該配筋の中心部へ向かって斜め上方へ延び、当該配筋の下側の側面に先端部が当接する一対の爪部とを有するものである。
【００１１】
この固定部材では、配筋への装着時には、配筋は一対の爪部の内側面に接触して一対の脚部を外側へ向かって拡げながら一対の爪部の内側を通過して一対の脚部の内側に入り、配筋の下側の側面に一対の爪部の先端部が当接することでこの一対の脚部の内側に固定され、容易に抜けることがない。なお、配筋の外径が多少異なる場合であっても、一対の爪部は配筋の下側の側面に当接する外径であれば、配筋は一対の脚部の内側に固定される。
【発明の効果】
【００１２】
（１）配筋に取り付けられる固定部材であって、配筋の上部から装着されるクリップ部であり、当該配筋を跨ぐように下方へ延びる一対の脚部と、この一対の脚部の下端部から当該配筋の中心部へ向かって斜め上方へ延び、当該配筋の下側の側面に先端部が当接する一対の爪部とを有するクリップ部を備える固定部材によれば、配筋の上部からクリップ部を装着することにより、容易に取り付けることができるとともに、配筋の下側の側面に一対の爪部の先端部が当接することでこの一対の脚部の内側に配筋が固定され、容易に抜けることがなくなる。また、配筋の外径が多少異なる場合であっても、一対の爪部は配筋の下側の側面に当接する外径であれば、配筋は一対の脚部の内側に固定されるため、配筋の外形に応じて多種類の固定部材を準備する必要がない。
【００１３】
（２）配筋の上部から装着されるクリップ部であり、当該配筋を跨ぐように下方へ延びる一対の脚部と、この一対の脚部の下端部から当該配筋の中心部へ向かって斜め上方へ延び、当該配筋の下側の側面に先端部が当接する一対の爪部とを有するクリップ部によれば、配筋の上部から装着することにより、容易に取り付けることができるとともに、配筋の下側の側面に一対の爪部の先端部が当接することでこの一対の脚部の内側に配筋が固定され、容易に抜けることがなくなる。また、配筋の外径が多少異なる場合であっても、一対の爪部は配筋の下側の側面に当接する外径であれば、配筋は一対の脚部の内側に固定されるため、配筋の外径に応じて多種類のクリップ部を準備する必要がなくなる。
【図面の簡単な説明】
【００１４】
【図１】本発明の実施の形態における天端レベル管理具の使用状態を示す斜視図である。
【図２】図１の天端レベル管理具を別角度からみた斜視図である。
【図３】図１の天端レベル管理具を別角度からみた斜視図である。
【図４】図１の固定部材の斜視図である。
【図５】図４の固定部材を別角度からみた斜視図である。
【図６】図４の固定部材の側面図である。
【図７】図４の固定部材の正面図である。
【図８】レベル設定用棒材の斜視図である。
【図９】レベル設定部材の斜視図である。
【図１０】レベル設定用棒材のレベル設定部材を固定した状態を示す平面図である。
【図１１】レベル設定部材を変形させてレベル設定用棒材への固定を解除した状態を示す平面図である。
【図１２】天端レベル管理具の組立手順を示す斜視図である。
【図１３】天端レベル管理具を配筋に固定する手順を示す側面図である。
【図１４】天端レベル管理具を配筋に固定する手順を示す側面図である。
【図１５】天端レベル管理具を配筋に固定する手順を示す側面図である。
【図１６】下側鉄筋の上部からクリップ部を装着する様子を示す正面図である。
【図１７】下側鉄筋の上部からクリップ部を装着する様子を示す正面図である。
【図１８】下側鉄筋の上部からクリップ部を装着する様子を示す正面図である。
【図１９】異なる外径の下側鉄筋にクリップ部を装着した状態を示す正面図である。
【図２０】レベル設定部材の別の実施形態を示す斜視図である。
【図２１】図２０のレベル設定部材を裏面側からみた斜視図である。
【図２２】図２０のレベル設定部材の使用例を示す側面図である。
【図２３】図２０のレベル設定部材の別の使用例を示す側面図である。
【発明を実施するための形態】
【００１５】
図１は本発明の実施の形態における天端レベル管理具の使用状態を示す斜視図、図２および図３は図１の天端レベル管理具を別角度からみた斜視図である。
【００１６】
図１〜図３に示すように、本発明の実施の形態における天端レベル管理具１は、水平に配設された配筋Ｒに生コンクリートを打設してベタ基礎や床版（スラブ）などのコンクリート構造物を形成するときの天端レベルの設定に用いられる治工具である。配筋Ｒは、それぞれ水平方向に延びる下側鉄筋Ｒ１および上側鉄筋Ｒ２を十字に交差させて形成されている。天端レベル管理具１は、この配筋Ｒの下側鉄筋Ｒ１および上側鉄筋Ｒ２の交差部に取り付けられる。下側鉄筋Ｒ１および上側鉄筋Ｒ２は、一般的に表面に凹凸の突起を有する異形棒鋼が用いられる。
【００１７】
天端レベル管理具１は、配筋Ｒの下側鉄筋Ｒ１と上側鉄筋Ｒ２との交差部に取り付けられる固定部材２と、固定部材２に固定され、天端レベルの目印とするレベル設定用棒材３と、レベル設定用棒材３に取り付けられるレベル設定部材４とから構成される。
【００１８】
図４は固定部材２の斜視図、図５は図４の固定部材２を別角度からみた斜視図、図６は図４の固定部材２の側面図、図７は図４の固定部材２の正面図である。
【００１９】
図４〜図７に示すように、固定部材２は、厚さ２ｍｍ前後の鋼板を加工して形成される本体部２０と、１枚の板バネを加工して形成されるクリップ部２１とから構成される。本体部２０とクリップ部２１とは溶接等により接合され、一体化されている。本体部２０は、レベル設定用棒材３を支持する支持部２２と、配筋Ｒの交差部の上側鉄筋Ｒ２の下側に差し込まれる一対の腕部２３とを有する。
【００２０】
支持部２２は、本体部２０の一部を切り欠いて外側へ折り返した第１舌片部２２Ａと、本体部２０から下方へ延び、さらに第１舌片部２２Ａと平行に延びた第２舌片部２２Ｂとから構成される。第２舌片部２２Ｂには、レベル設定用棒材３の下部が固定される固定部２４が形成されている。固定部２４は、第２舌片部２２Ｂに形成された貫通孔２４Ａと、第２舌片部２２Ｂの下面に貫通孔２４Ａ周りに形成された増厚部２４Ｂとを有する。第１舌片部２２Ａには、レベル設定用棒材３が貫通し、その中途部が支持される支持孔２５が形成されている。
【００２１】
一対の腕部２３は、上側鉄筋Ｒ２の下側の下側鉄筋Ｒ１を挟む位置に差し込まれた際に、上側鉄筋Ｒ２の下側の側面に接触するように、本体部２０の上面から本体部２０の厚さ分だけ下がった位置に延設されている。
【００２２】
クリップ部２１は、下側鉄筋Ｒ１を跨ぐように下方へ延びる一対の脚部２１Ａと、この一対の脚部２１Ａの下端部２１Ｂから下側鉄筋Ｒ１の中心部へ向かって斜め上方へ延び、下側鉄筋Ｒ１の下側の側面に先端部２１Ｄが当接する一対の爪部２１Ｃとを有する。クリップ部２１は配筋Ｒの下側鉄筋Ｒ１の上部から装着される。
【００２３】
図８はレベル設定用棒材３の斜視図である。図８に示すように、レベル設定用棒材３は、固定部材２の支持孔２５の内径よりも若干小さな外径とした円柱状の弾性を有する樹脂製の本体部３０を有する。本体部３０の上端部には、引き抜く際に指を掛ける拡径部３１を有する。また、本体部３０の下端部には、固定部材２の固定部２４に固定するための被固定部３２を有する。
【００２４】
被固定部３２は、固定部材２の固定部２４の貫通孔２４Ａよりも若干小さな外径とした縮径部３２Ａと、貫通孔２４Ａよりも大きな外径とした引掛部３２Ｂとから構成される。引掛部３２Ｂは先細り形状となっており、弾性変形によって貫通孔２４Ａを通過後、弾性復帰することにより、第２舌片部２２Ｂの下面に貫通孔２４Ａ周りに形成された増厚部２４Ｂに引っ掛かるようになっている。
【００２５】
図９はレベル設定部材４の斜視図、図１０はレベル設定用棒材３にレベル設定部材４を固定した状態を示す平面図、図１１はレベル設定部材４を変形させてレベル設定用棒材３への固定を解除した状態を示す平面図である。
【００２６】
図９に示すように、レベル設定部材４は、レベル設定用棒材３の側面を挟持する一対の挟持部４０と、一対の挟持部４０のそれぞれから互いに離れる方向に延びる一対の支持桿４１と、一対の支持桿４１のそれぞれの外側が連結され、一対の挟持部４０および一対の支持桿４１を囲う環状部４２と、環状部４２を指で挟み込む一対の把持部４３とを有する。
【００２７】
一対の挟持部４０は、略円筒を２分割した形状であり、挟持するレベル設定用棒材３の円柱状の本体部３０の側面に対応した凹面４０Ａを有する。また、この挟持部４０の凹面４０Ａにはレベル設定用棒材３を挟持した際に、レベル設定用棒材３に食い込んで滑り止めとして作用する爪部４４が設けられている。
【００２８】
環状部４２は、一対の支持桿４１のそれぞれの外側から一対の挟持部４０の分割部分４０Ｂの外側へ向かって延びる４つの延設部分により環状に形成され、一対の挟持部４０の分割部分４０Ｂへ向かって弾性変形可能となっている。一対の把持部４３は、環状部４２の外側であって、一対の挟持部４０の分割部分４０Ｂの外側に設けられている。一対の把持部４３の中央部分には、環状部４２が一対の挟持部４０の分割部分４０Ｂへ向かって弾性変形しやすいように、薄肉部４３Ａが形成されている。
【００２９】
このレベル設定部材４では、図１１に示すように、環状部４２を一対の挟持部４０へ向かってＹ方向に弾性変形させると一対の支持桿４１がそれぞれ外側へ向かってＸ方向へ引っ張られ、これに伴ってレベル設定用棒材３の側面を挟持する一対の挟持部４０が互いに離れるＸ方向に拡がる。これにより、レベル設定部材４がレベル設定用棒材３から離れるので、レベル設定部材４の高さを調整することが可能となる。一方、環状部４２を弾性復帰させると、一対の支持桿４１が内側へ戻り、これに伴って一対の挟持部４０が元の状態へ戻ることにより、図１０に示すように、レベル設定用棒材３の側面が一対の挟持部４０により挟持され、レベル設定部材４がレベル設定用棒材３に固定される。
【００３０】
次に、上記天端レベル管理具１の使用方法について説明する。図１２は天端レベル管理具１の組立手順を示す斜視図、図１３〜図１５は天端レベル管理具１を配筋Ｒに固定する手順を示す側面図、図１６〜図１８は下側鉄筋Ｒ１の上部からクリップ部２１を装着する様子を示す正面図である。
【００３１】
まず、図１２に示すように、レベル設定部材４を取り付けたレベル設定用棒材３を固定部材２の第１舌片部２２Ａの支持孔２５に挿入し、レベル設定用棒材３の下端部の被固定部３２を第２舌片部２２Ｂの貫通孔２４Ａに挿入して固定する。
【００３２】
次に、図１３および図１４に示すように、天端レベル管理具１の一対の腕部２３を配筋Ｒの交差部の上側鉄筋Ｒ２の下側であって下側鉄筋Ｒ１を挟む位置にそれぞれ差し込んで上側鉄筋Ｒ２の下側の側面に接触させ、図１５に示すように下側鉄筋Ｒ１の上部からクリップ部２１を装着する。
【００３３】
このとき、図１６に示すように下側鉄筋Ｒ１はクリップ部２１の一対の爪部２１Ｃの内側面に接触して、図１７に示すように一対の脚部２１Ａを外側へ向かって拡げながら一対の爪部２１Ｃの内側を通過する。そして、図１８に示すように一対の脚部２１Ａの内側に入り、下側鉄筋Ｒ１の下側の側面に一対の爪部２１Ｃの先端部２１Ｄが当接し、下側鉄筋Ｒ１は、この一対の脚部２１Ａの内側に固定される。この状態では、天端レベル管理具１に上向きの力が加わっても、クリップ部２１の一対の爪部２１Ｃの先端部２１Ｄが下側鉄筋Ｒ１に引っ掛かり、容易に抜けることがない。そのため、この天端レベル管理具１では、支持部２２に支持したレベル設定用棒材３を天端レベルの目印として安定して天端レベルを設定することができる。
【００３４】
また、この天端レベル管理具１では、図１９に示すように、下側鉄筋Ｒ１の外径が多少異なる場合であっても、一対の爪部２１Ｃは下側鉄筋Ｒ１の下側の側面に当接する外径であれば、下側鉄筋Ｒ１は一対の脚部２１Ａの内側に固定される。そのため、下側鉄筋Ｒ１の外径に応じて多種類の天端レベル管理具１を準備する必要がなく、異なる外径の下側鉄筋Ｒ１に対して共通の天端レベル管理具１を使用することができる。例えば、異形鉄筋の呼び名Ｄ１３とＤ１６、Ｄ１６とＤ１９、Ｄ１９とＤ２２とでそれぞれ共通のクリップ部２１を使用することが可能である。
【００３５】
また、本実施形態における天端レベル管理具１では、レベル設定用棒材３の下部が固定部２４に固定され、その中途部が支持孔２５に支持されるので、生コンクリートの打設時にレベル設定用棒材３が倒れたり外れたりすることが防止され、さらに安定して天端レベルを設定することが可能となっている。
【００３６】
また、本実施形態における天端レベル管理具１は、レベル設定用棒材３の側面を挟持する一対の挟持部４０と、一対の挟持部４０のそれぞれから互いに離れる方向に延びる一対の支持桿４１と、一対の支持桿４１のそれぞれの外側が連結され、一対の挟持部４０および一対の支持桿４１を囲う環状部４２であり、一対の挟持部４０へ向かって弾性変形可能な環状部４２とを有するレベル設定部材４により、環状部４２を一対の挟持部４０へ向かって指で挟むようにして弾性変形させたり、環状部４２から指を放して弾性復帰させたりすることで、レベル設定部材４の高さを容易に調整して天端レベルを設定することが可能となっている。
【００３７】
次に、レベル設定部材の別の実施形態について説明する。図２０はレベル設定部材の別の実施形態を示す斜視図、図２１は図２０のレベル設定部材を裏面側からみた斜視図、図２２は図２０のレベル設定部材の使用例を示す側面図、図２３は図２０のレベル設定部材の別の使用例を示す側面図である。
【００３８】
図２０および図２１に示すレベル設定部材４Ａは、前述のレベル設定部材４Ａの下面と面一となるように舌片４５を突設したものである。舌片４５は、一対の支持桿４１の両外側へ向かって延設された矩形状のものである。なお、図２０〜図２３において、前述と共通の構成部分については同一符号を付し、その詳細な説明を省略する。
【００３９】
上記構成のレベル設定部材４Ａでは、図２２に示すように天端レベル管理具１を配筋Ｒに取り付けてレベル設定部材４Ａの高さを調整する際、上側鉄筋Ｒ２上にスケール（物差し）５０を当てることで、上側鉄筋Ｒ２からレベル設定部材４Ａの舌片４５の下面までの長さを容易に測定することができ、コンクリートの被り厚さを容易に設定することが可能である。
【００４０】
また、図２３に示すように、スケール５０をベタ基礎や床版（スラブ）などのコンクリート構造物を構築する底面５１に当て、底面５１からレベル設定部材４Ａの舌片４５の下面までの長さを測定することで、コンクリート構造物の厚さを容易に設定することが可能となる。
【産業上の利用可能性】
【００４１】
本発明の固定部材およびクリップ部は、配筋に取り付けられる固定部材およびクリップ部として有用である。
【符号の説明】
【００４２】
１  天端レベル管理具
２  固定部材
３  レベル設定用棒材
４，４Ａ  レベル設定部材
２０  本体部
２１  クリップ部
２１Ａ  脚部
２１Ｂ  下端部
２１Ｃ  爪部
２１Ｄ  先端部
２２  支持部
２２Ａ  第１舌片部
２２Ｂ  第２舌片部
２３  腕部
２４  固定部
２４Ａ  貫通孔
２４Ｂ  増厚部
２５  支持孔
３０  本体部
３１  拡径部
３２  被固定部
３２Ａ  縮径部
３２Ｂ  引掛部
４０  挟持部
４０Ａ  凹面
４０Ｂ  分割部分
４１  支持桿
４２  環状部
４３  把持部
４３Ａ  薄肉部
４４  爪部
４５  舌片
Ｒ  配筋
Ｒ１  下側鉄筋
Ｒ２  上側鉄筋
【図１】
2020037850.tif 000003
【図２】
2020037850.tif 000004
【図３】
2020037850.tif 000005
【図４】
2020037850.tif 000006
【図５】
2020037850.tif 000007
【図６】
2020037850.tif 000008
【図７】
2020037850.tif 000009
【図８】
2020037850.tif 000010
【図９】
2020037850.tif 000011
【図１０】
2020037850.tif 000012
【図１１】
2020037850.tif 000013
【図１２】
2020037850.tif 000014
【図１３】
2020037850.tif 000015
【図１４】
2020037850.tif 000016
【図１５】
2020037850.tif 000017
【図１６】
2020037850.tif 000018
【図１７】
2020037850.tif 000019
【図１８】
2020037850.tif 000020
【図１９】
2020037850.tif 000021
【図２０】
2020037850.tif 000022
【図２１】
2020037850.tif 000023
【図２２】
2020037850.tif 000024
【図２３】
2020037850.tif 000025